(57)【特許請求の範囲】
【請求項１】
床面上に所定の間隔をあけて敷設された複数の支持部と、
前記所定の間隔をあけるように前記支持部を相互に結合するための結合部と、から構成される二重床用単位パネル構造において、
前記結合部の所定箇所に設けられた切断されることにより現出する係合部と、
前記支持部に設けられた前記係合部と係合可能な受け部と、を有することを特徴とする二重床用単位パネル構造。
【請求項２】
床面上に所定の間隔をあけて敷設された複数の支持部と、
前記所定の間隔をあけるように前記支持部を相互に結合するための結合部と、から構成される二重床用単位パネル構造において、
前記結合部の所定箇所は、切断されることにより相互に係合可能な係合部及び受け部が現出するように構成されたことを特徴とする二重床用単位パネル構造。
【請求項３】
床面上に所定の間隔をあけて敷設された複数の支持部と、
前記所定の間隔をあけるように前記支持部を相互に結合すると共に、切断可能な結合部と、
該結合部の所定箇所に設けられ、切断されることにより現出する係合部と、
該係合部相互に係合して前記切断された結合部を連結可能な連結部材と、
を有することを特徴とする二重床用単位パネル構造。
【請求項４】
前記支持部又は前記結合部の少なくとも一部を切除して得られた切除部材を、前記連結部材として用いるようにしたことを特徴とする請求項３に記載の二重床用単位パネル構造。
【請求項５】
前記結合部の前記所定箇所には、切断容易とするための切断用切り込み部が設けられたことを特徴とする請求項１〜４のいずれかに記載の二重床用単位パネル。
【請求項６】
床面上に所定の間隔をあけて敷設された複数の支持部と、
前記所定の間隔をあけるように前記支持部を相互に結合するための結合部と、から構成される二重床用単位パネル構造の施工方法において、
前記結合部に設けられた係合部を現出させるために前記結合部の所定箇所を切断し、切断により現出させた前記係合部を、前記支持部に設けられた前記受け部に係合し、係合により前記二重床用単位パネルのサイズを変更可能としたことを特徴とする二重床用単位パネル構造の施工方法。
【請求項７】
床面上に所定の間隔をあけて敷設された複数の支持部と、
前記所定の間隔をあけるように前記支持部を相互に結合するための結合部と、から構成され、かつ前記支持部間に複数の経路が形成される二重床用単位パネル構造において、
前記結合部の所定箇所に設けられ切断により現出する係合部と、
前記支持部に設けられ前記係合部と係合可能な受け部と、を有し、前記結合部の所定箇所を切断することにより得られる分割パネル相互を、前記受け部と前記係合部との係合により連結し、前記複数の経路数を変更可能としたことを特徴とする二重床用単位パネル構造。
【発明の詳細な説明】
【０００１】
【産業上の利用分野】
本発明は、床面に敷設される二重床用単位パネル構造及びその施工方法に関する。
【０００２】
【従来の技術】
近年、ＯＡ機器の多様化によって、パソコン関連の配線、電話線、分電盤又は配電盤周囲の配線等の各種配線が大量化及び複雑化したことに対応すべく、例えばフリーアクセスフロアと称する二重床パネルがＯＡ用フロアとして広範囲に亘り利用されている。この種の二重床パネルは、支持部（台座部分）上にカバー部材を載置し、カバー部材下に形成した空間に上述した配線等を自由に設置できる構造になっている。そのため、二重床パネルに対する需要は益々拡大する傾向にある。
【０００３】
これに伴い、高層ビル等の新築の建築物に、また既設の一般オフィスビル等においても対応すべく、設置や移動等が容易で、リニューアル等にも対応可能な置敷式の二重床パネルが開発された。尚、このような二重床パネルであっても、設置をより容易かつ迅速にするため、敷設面積に応じてパネルを所望の大きさに変更可能とする利便性を有する床パネル構造が必要とされている。
【０００４】
上述した床パネル本体を多数敷設した後、その際に生じる壁際・柱回り等の残余空間において、単位パネル本体を現場で切断し、その残余空間に合うように大きさを変更して敷設できる床パネル構造として、例えば以下のものが知られている。
【０００５】
１  支持部の連結部を切断する構成
例えば、本出願人による特許第３１１８４３６号明細書の図７では、残余の敷設面積に合わせて連結部を任意の位置で切断し、パネルを分割又は他のパネルとを連結するために連結材を用いて連結する構成を開示している（この例では、単位パネル１枚以上２枚以下の幅の残余面積の場合を示す）。この構造では、連結部を任意の位置にて切断可能であるが、連結部同士の結合は不可能であり、丁度１パネル幅寸法に設定され、共通の支持部間寸法のなるように設定された別部材である連結材を用いることで目的を達成している。
【０００６】
２  支持部を切断する構成
例えば、本出願人による特開平１０−２５２２４９号公報の図５、図６におて、予め支持部に切断用の切込み又はスリットが形成されており、また結合部には、その端部に結合部同士で連結可能となる上下方向差し込み式の凹凸嵌合部が設けられている。
【０００７】
３  床パネルを切断する構成
例えば、実開平２−９３４３８号公報では支持脚一体型のパネル構造を、実開平５−８９６８１号公報では支持脚別体型のパネル構造を開示している。これは、壁際等の敷設残余空間に合わせて基本パネルである単位パネルを直接現場で切断し、その後、その切断したパネル裏面に予め用意した補助脚又は別体の脚によって片側を補強支持するものである。
【０００８】
４  別の床パネル、部材による構成
例えば、本出願人による特許第１７１５２８５号明細書、実公平５−１８４２７号公報、特開平６−２９９６８５号公報、特開平１１−２２１６５号公報、特開平１１−２２９５９３号公報では、複数の小片駒（方形ブロック体）から成るパネルであり、この単位ブロック毎に小片駒間の連結部はスリットを形成し、この部分で切断可能としている。
【０００９】
【発明が解決しようとする課題】
しかしながら、上記１〜４の各構成では、依然として以下のような不都合が残っており、改良の余地が残している。即ち、
１では、単に、連結部の位置のみで切断することしかできないため、切断位置が限定されてしまい、必ずしも残余空間等の敷設面積に合わせて切断するものではなく、非常に大ざっぱな寸法により切断することになる。結局、特許第３１１８４３６号明細書の図７に示すように、切断後、共通した支持部間の寸法に設定された別部材の連結材を用いて支持部相互を接続することになるので、施工に手間がかかり、別部材を準備しなければならない必要があった。
【００１０】
２では、支持部を予め設定されている切込みにより切断して、これにより分割された支持部を連結部の係合部により結合して分割パネルを構成するので、施工性は良いが、特開平１０−２５２２４９号公報の図６に示すように、連結部の係合や結合方法に多くの組み合わせがあるため、その結合の方向性や予めサイズの形成状態等を考慮しなければならず、現場での作業が面倒であり、迅速に対応するのが困難であった。
【００１１】
３では、残余空間に合わせて床パネルを複数に分断し敷設することができるが、床パネルの材質に応じた専用の切断工具が必要とされ、また本来の強度が保証された床パネルを切断するため切断作業が困難である。さらに、本来の強度が保証された床を切断することによって強度上の信頼性に欠けるため、これを補償するために補強支持脚等の補強部材を準備する必要性があった。
【００１２】
４では、予め定められた方形ブロック体、小片駒、パネル等のボーダー材を壁際処理に用いるので細かい寸法設定が可能となり残余の敷設面積に合わせやすいが、これも予め専用の別パネルを用意しなければならない。
【００１３】
また、この種のボーダー材等の壁際処理部材を用いた場合には、この基本構造が壁際処理用であるため、通常の基本パネルに比べて配線容量等が少なくなる、即ち、配線通路が狭いものとなるので、配線容量が絶対的に不足するという不都合を有する。
【００１４】
上述したように、上記１〜４に係るパネル構造では、現場の残余空間に合わせた床パネルをより簡易な構成及び迅速な施工作業で形成するのは比較的困難であった。
【００１５】
例えば、図１５に示すような室内床面積の場合では、オフィス等の出入口のドア回りＦ、パーテーション仕切部分及び見切部分Ｇ、床面の段差部分Ｈ、壁際柱回りの分電盤・配線盤１、２回り等、その他残余空間Ｗとなり得る場所では、配線スペースの変更も予想され、これに応じてパネルサイズも変更する必要がある。係る場所では、依然、十分な施工性、利便性を得るには至っていなかった。
【００１６】
さらに、壁際・柱回り等の分電盤・配線盤１、２の周辺部分Ｗ、床スラブ面の段差部分Ｈ等の通常の単位パネルサイズでは合わない部分が生じた場合には、上述したように、別部材であるボーダー材や、基本パネルをその寸法に合わせて切断したパネル片を用いて対処していたのが実情である。このため、別部材を用いることによるコスト高、残余空間に合わせるための切断作業が比較的困難であるといった不都合を有する。
【００１７】
本発明は、上記課題に鑑みてなされたものであり、その目的は、現場の敷設面積、特に残余空間に合わせて容易に切断でき、例えば配線容量や経路数、パネルサイズを容易に変更可能とし、施工性を向上させた二重床用単位パネル構造及び該二重床用単位パネル構造の施工方法を提供することにある。
【００１８】
【課題を解決するための手段】
前記目的を達成する請求項１に係る二重床用単位パネル構造の発明は、床面上に所定の間隔をあけて敷設された複数の支持部と、所定の間隔をあけるように支持部を相互に結合するための結合部と、から構成される二重床用単位パネル構造において、結合部の所定箇所に設けられた切断されることにより現出する係合部と、支持部に設けられた係合部と係合可能な受け部と、を有することを特徴とする。
【００１９】
これにより、結合部を切断して係合部を現出させ、これを支持部に設けられた受け部に係合するだけで迅速かつ容易に単位パネルのサイズ変更が可能となり、二重床用単位パネルの施工性の向上を図ることができる。
【００２０】
請求項２に係る二重床用単位パネル構造の発明は、結合部の所定箇所は、切断されることにより相互に係合可能な係合部及び受け部が現出するように構成されたことを特徴とする。
【００２１】
これにより、切断箇所に応じて受け部の位置を自由に変えることができ、パネルの細かなサイズ変更が可能となる。
【００２２】
請求項３に係る二重床用単位パネル構造の発明は、床面上に所定の間隔をあけて敷設された複数の支持部と、前記所定の間隔をあけるように前記支持部を相互に結合すると共に、切断可能な結合部と、該結合部の所定箇所に設けられ、切断されることにより現出する係合部と、該係合部相互に係合して前記切断された結合部を連結可能な連結部材と、を有することを特徴とする。これにより、結合部相互のより確実な係合が行える。
【００２３】
請求項４に係る二重床用単位パネル構造の発明は、支持部又は結合部の少なくとも一部を切除して得られた切除部材を、連結部材として用いるようにしたことを特徴とする。これにより、連結部材を別に用意する必要がないため、コストを抑えてより確実な結合部相互の係合が行える。
【００２４】
請求項５に係る二重床用単位パネル構造の発明は、結合部の所定箇所には、切断容易とするための切断用切り込み部が設けられたことを特徴とする。これにより、係合に必要な部材を容易に入手できるので、サイズ変更の際の作業性の向上を図ることができる。
【００２５】
請求項６に係る二重床用単位パネル構造の施工方法の発明は、結合部に設けられた係合部を現出させるために結合部の所定箇所を切断し、切断により現出させた係合部を、支持部に設けられた受け部に係合し、係合により二重床用単位パネルのサイズを変更可能としたことを特徴とする。
【００２６】
これにより、二重床用単位パネルを所望の大きさに変更できると共に、迅速かつ簡易に変更できるので、二重床用単位パネルの施工性を向上させることができる。
【００２７】
請求項７に係る二重床用単位パネル構造の発明は、床面上に所定の間隔をあけて敷設された複数の支持部と、所定の間隔をあけるように支持部を相互に結合するための結合部と、から構成され、かつ支持部間に複数の経路が形成される二重床用単位パネル構造において、結合部の所定箇所に設けられ切断により現出する係合部と、支持部に設けられ係合部と係合可能な受け部と、を有し、結合部の所定箇所を切断することにより得られる分割パネル相互を受け部と係合部との係合により連結し、複数の経路数を変更可能としたことを特徴とする。
【００２８】
これにより、配線数に応じた経路数の変更が容易に行えるので、特に残余空間において本発明の二重床用単位パネル構造の施工性向上が図れる。
【００２９】
【発明の実施の形態】
以下、図面に基づいて本発明の実施の形態について詳細に説明する。図１は、本発明の二重床用単位パネルＰの全体構成図、図２は、支持部１０の構成図、図３は、結合部２０の構成図である。
【００３０】
まず本発明の二重床用単位パネルＰの基本構成について、図１に基づいて説明する。図１の（ａ）〜（ｃ）は、二重床用単位パネルＰの平面図、断面図及び裏面図をそれぞれ示している。図示のように、二重床用単位パネルＰは、結合部２０を介して床面上に複数の支持部１０が所定の間隔、例えばほぼ等間隔をあけて設置され、方形状をなすように構成されている。
【００３１】
本実施の形態において、支持部１０は１６個の立方体ブロック、即ち四隅に４つ（１０ａ）、中央近傍に４つ（１０ｂ）及び各辺の中央側に２つ（四辺で合計８つ）（１０ｃ）が床面上に敷設されるように設けられている。この３種類の立方体ブロック１０ａ、１０ｂ、１０ｃは、それぞれ同じ大きさ及び形態であっても良いが、隣接する単位パネルが本実施の形態に係る単位パネルＰと異なる大きさ及び形態のパネルであった場合、配線経路をスムーズに確保する、例えばブロック間の配線溝幅を一定に保つ観点から、異なる大きさ及び形態であっても良い。
【００３２】
結合部２０は、四辺側の直線状結合部２０ａと内側の交差状（Ｘ字状）結合部２０ｂとで、特に図１（ｂ）に示すように支持部１０の下端部にて支持部１０相互を連結している。この結合部２０ａの一部には、係合部３０が所定の位置に設けられている。
【００３３】
上述した支持部１０及び結合部２０は、切断を容易にするため、両方共に樹脂等で形成されている。
【００３４】
次に、二重床用単位パネルＰを構成する支持部１０と結合部２０の構造について、図２及び図３に基づいて説明する。図２の（ａ）及び（ｂ）は、四隅に設けた支持部１０ａの構造を、図３の（ａ）及び（ｂ）は、この支持部１０ａとこれに隣接する支持部１０ｃとを結合する結合部２０ａの構造をそれぞれ示している。ここで１０ａと２０ａは、支持部１０および結合部２０を説明するために例示として用いたのであって、他の支持部１０ｂ、１０ｃ及び結合部２０ｂについてもこれに対応させて同様のことが言える。
【００３５】
図示のように、支持部１０ａは、例えば下方が開放するようにブロック形状で一体成形され、内部は軽量化のため中空であり、必要に応じて補強リブ１０Ａが多数設けられている。この補強リブ１０Ａは、ブロックの天面裏から側面下端部までつながって立設され、例えば中心から放射状に伸びるように形成され天面を支持する構造になっており、人の歩行等の負荷に対する床面の強度を満足させるように構成されている。
【００３６】
支持部１０ａには、図２（ａ）に示すように、本実施の形態において、四隅に設けた支持部１０ａのうち右上支持部１０ａに１カ所、左上支持部１０ａに２カ所、左下支持部１０ａに１カ所にそれぞれ受け部１２が設けられている。この受け部１２は、支持部１０ａの側面下側、即ち結合部２０ａに設けられた係合部３０の向きに対応する支持部１０ａの側面下側に設けられている。また、受け部１２は、支持部１０ａの下端部からこの支持部１０ａに一体となるように結合している結合部２０ａに亘って設けられている。受け部１２は、本実施の形態において、支持部１０ａの高さ方向に所定の幅及び結合部２０ａの幅方向と長さ方向に所定の幅を有して開口を形成している。支持部１０ａの高さ方向に設けた所定の幅は、結合部２０ａの厚さとほぼ同じ寸法の幅とするのが好ましい。また、結合部２０ａの幅方向に設けた所定の幅は、後述する係合部３０の先端部分が係合可能な幅であれば十分である。さらに、結合部２０ａの長さ方向に設けた所定の幅は、後述する係合部３０の先端部分を斜め上方方向から嵌入して支持部１０ａと容易に係合するのに十分な幅であればよい。この開口は、後述する係合部３０と係合させるために設けたスペースであり、図２（ｂ）に示すように、補強リブ１０Ａの一部にまで及んでいる（図２（ｂ）中の斜線部分）。パネルサイズを変更する場合に、受け部１２近傍の位置Ｘ（図２（ａ）中の点線）で、受け部１２を残すようにこの結合部２０ａを切断する。
【００３７】
結合部２０ａは、図３（ａ）に示すように、帯状をなして支持部１０ａ及び１０ｃ相互を結合し、２つの切り込み線２２の位置で切断されると現出する係合部３０を含んでいる。この係合部３０は、拡大図を図３（ｂ）に示すように、切り込み線２２の位置で、スリット穴により、受け部１２に係合させるための略凸状係合部位３２が形成されている。この略凸状係合部位３２の先端部分は、外側横方向に漸次広がりをもって矢印状に形成され、その下側は内側に若干窪んで矢印状の先端と段差を有するように構成されると共に、内側は先端部分を受け部１２に係合させる際に、受け部１２周縁からの外圧により反り部３４を内側へ変形させるために略Ｕ字状の間隙が形成されている。
【００３８】
この係合３０は、図示したように（特に、図１を参照）、四辺側の直線状結合部２０ａに設けた２つの支持部１０ｃ間に及び支持部１０ｃと支持部１０ａの間に、それぞれ先端部分が受け部１２の方向を向くように設けられている。さらにこの係合部３０は、受け部１２と係合部３０を係合させて後述するフロアパネル４０を載置する場合に、フロアパネル４０が設置可能となる位置、即ちフロアパネル４０の一辺の幅に合うような位置に設けられている。
【００３９】
上述したような構成を有する二重床用単位パネルＰの支持部１０上には、図４（ａ）に示すように、多数のカバー部材としてフロアパネル４０が設置され、図４（ｂ）に示すように二重床（フリーアクセスフロア）を構成している。フロアパネル４０は、図４（ｃ）に示すように、金属製で、方形状の鋼板パネルである。このフロアパネル４０は、支持部１０の表面に設けた凹部１４に嵌合させるため、パネル一枚につき４カ所凸部４２を設けている。この凹部１４と凸部４２をそれぞれ嵌合させることにより、フロアパネル４０を位置的に安定させることができる。
【００４０】
次に、本発明の二重床用単位パネルＰの施工方法について、以下の図５〜図７に基づいて説明する。図５は、支持部１０と結合部２０、特に係合部３０との係合方法を説明する概略図、図６及び図７は、二重床用単位パネルＰのサイズ変更の説明図である。
【００４１】
まず、支持部１０と結合部２０の係合方法について説明する。本実施の形態では、支持部１０ａと結合部２０ａとの係合を具体例に用いて説明する。
【００４２】
最初に、２カ所の切り込み線２２の位置で結合部２０ａを切断し、係合部３０を現出させる（図３を参照）。次に、現出した係合部３０の略凸状係合部位３２を、図５（ａ）に示すように、支持部１０ａの受け部１２に対して水平に係合させる。結合部２０ａの長さ方向に設けた受け部１２の開口幅を利用して、係合部位３２を斜め上方方向から嵌入させても良い。この受け部１２への係合の際に、受け部１２の周縁からの圧力により、略凸状係合部位３２の先端部分に形成された反り部３４が略Ｕ字状の間隙の内側方向に変形し、略凸状係合部位３２の受け部１２への係合を可能にしている。その後、係合された略凸状係合部位３２は、図５（ｂ）に示すように、反り部３４が受け部１２の裏側の開口縁に引っかかりを生じ、係合、固定される。
【００４３】
ここから、本発明の二重床用単位パネルＰをサイズ変更する方法について、図６及び７に基づいて説明する。図６は、上下左右方向に３経路（以下、３ｗａｙと称する）に配線可能である単位床パネルＰを、左右方向に１経路（以下、１ｗａｙと称する）に、図７は、上下左右方向に３経路に配線可能である単位床パネルＰを、左右方向に２経路（以下、２ｗａｙと称する）に変更する場合の説明図である。この経路数の変更は、同時に単位パネルＰのサイズ変更も意味する。本実施の形態では、図６及び図７に示すように、上下２カ所の結合部２０ａを切断して、係合する場合について説明する。
【００４４】
二重床用単位パネルＰの形状を連結パネルＰ１、Ｐ２の形状に変更するには、まず最初に支持部１０と結合部２０が結合されている所定部分（図２（ａ）のＸに該当）を切断し、図６及び図７に示すように左側１列分のブロック（第１分割パネル）を得る。次に、係合部３０を形成するため、図６及び図７に示すように結合部２０ａの切込線２２を切断する。その際、１ｗａｙの場合は図６に示すように右側１列分のブロック（第２分割パネル）を、２ｗａｙの場合は図７に示すように右側２列分のブロック（第２分割パネル）を得るように、対応する結合部２０ａの切込線２２を切断する。そして、切断によって得られた左側１列分のブロック（第１分割パネル）と、右側の例えば配線経路数（ｗａｙ数）に応じた列分のブロック（第２分割パネル）とを、受け部１２及び係合部３０相互の係合により結合する。
【００４５】
これにより、元の二重床用単位パネルＰが３ｗａｙであったものを、図６（ｂ）に示す１ｗａｙ、図７（ｂ）に示す２ｗａｙにそれぞれ変更し、パネル幅、配線経路を変化させた連結パネルＰ１、Ｐ２を形成することが可能となる。このことは、現場で、例えばその通路幅等の残余空間の状況に応じて、切断、係合という簡単な作業で施工できることになる。
【００４６】
ここで、図６を用いて床パネルＰの３ｗａｙを、連結パネルＰ１の１ｗａｙに変更する場合について、更に具体的に説明する。
【００４７】
図６（ａ）に示すように、最初に受け部１２を形成するために左側１列分のブロック、及び係合部３０を形成するために右側１列分のブロックをそれぞれ残すように、図示のハッチング部分（上述した単位パネルＰの分割により除去されるパネル）を除去できるように所定位置の結合部２０ａ、２０ｂを切断する（切断位置は、図では点線で示す）。
【００４８】
本実施の形態では、図６（ａ）に示したような合計１６カ所の位置で結合部２０を切断している。また、特に結合部２０ａの切断については、上述したように、係合部３０にはスリット穴によって略凸状係合部位３２が形成されているので切断位置Ｄで切込線２２だけを切断すれば良い。
【００４９】
切断後、図６（ｂ）に示すように、左側１列分のブロックと、右側１列分のブロックとを、その上下２カ所位置で、略凸状係合部位３２を有する係合部３０と受け部１２とを嵌合して結合する。このようにして、３ｗａｙの二重床用単位パネルＰを、サイズの異なる１ｗａｙの連結パネルＰ１に変更することができる。
【００５０】
図７は、二重床用単位パネルＰの３ｗａｙを連結パネルＰ２の２ｗａｙに変更する場合を示している。この２ｗａｙへの変更では、図示から明らかなように、右側の列分のブロックを２列にするために結合部２０ａの切断を切断位置Ｅとしてる点が異なるだけで、その他は１ｗａｙへの変更と同じである。
【００５１】
本実施の形態に係る二重床用単位パネルＰが、上述したように特徴的な構造を有し、かつ施工されることにより、以下に述べるような利点がある。
【００５２】
支持部１０には受け部１２が設けられ、結合部２０には切断により現出させる係合部３０を設けたことにある。これにより、結合部２０を切断して現出させた係合部３０を受け部１２に係合させるだけでよいので、二重床用単位パネルＰのサイズ変更が容易に行え、該パネルＰの施工性向上を図ることができる。
【００５３】
従って、例えば分電盤や配電盤周辺、パソコン等のＯＡ機器の密集したような比較的多種多様な配線が多い部分で、単位パネルＰをより狭い配線敷設空間に設置でき、係る空間を有効活用できる。
【００５４】
さらに、図１５に示したような例えば配電盤１、２周辺の壁際、床面の段差部分Ｈ、ドア回りＦ、出入り口部分等、単位パネルが敷設できない場所（敷設面積）Ｗにおいて、元の床パネルＰが３ｗａｙであったものを、１ｗａｙ、２ｗａｙに経路数の変更可能となると同時に、同一パネルで容易にサイズも変化させて敷設することができる。
【００５５】
これによって、床パネル自体を切断して労力を費やしたり、補強部材を追加したり、別部材を予め用意したり、ボーダー部材を用いることで配線容量を減らしてしまったりすることがなくなり、従来技術で述べた不都合を解消することができる。
【００５６】
本実施の形態では、支持部１０、結合部２０、係合部３０を、図面に基づいて説明したが、これらのみに限定されるものではない。例えば、支持部１０は、支持脚型パネルで示したが配線溝型パネルであっても良い。
【００５７】
さらに、係合の態様は、上述したように略凸状係合部位３２と受け部１２を例示としたが、これに限定されるものではなく、種々の変形、係合又は嵌合構造の適用が可能である。
【００５８】
以下に、その変形例を図８〜図１３に基づいて説明する。図中、ＭとＮは結合部２０ａの切断前にはこれらの間に支持部１０や結合部２０が存在していて（例えば、図６を参照）、それぞれ結合部２０ａが切断されたことにより現出した面である。
【００５９】
図８は、切断された一方の結合部２０ａには突起８０を、他方にはその突起が嵌る孔又は開口８２が設けられ、２０ａの切断後に両者を上下方向押圧により嵌合させ接続させる構造を示したものであり、上下方向の圧入により簡単な構成でより確実かつ簡易に結合部２０ａ相互を係合できる。図中には、突起８０及び孔又は開口８２をそれぞれ２個ずつ示したが、突起８０か、孔又は開口８２を結合部２０ａの長さ方向に多数、等間隔に設ければより細かなパネルのサイズ調整が可能となる。
【００６０】
図９は、切断された一方の結合部２０ａの一端かつ側端に開口を有する切欠きを入れたものと、他方の他端かつ側端に開口を有する切欠きを入れたものとを横方向で相互に係合しあって接続する構造を示したものであり、切欠きのみの簡単な構成で、しかも横方向の係合で確実、簡単に結合部２０ａ相互を係合できる。
【００６１】
図１０は、切断された一方の結合部２０ａの端部側に略凸状の開口が形成され、これに対応させて他方の端部側に該略凸状の開口による独自の形により係止する突状係止部２４が形成されており、その突状係止部２４を、略凸状の開口に通した後、若干返すようにしてロック係止することができる構成が開示されており、これにより、結合部２０ａ相互の係合を確実に行える。
【００６２】
上述した係合の態様の変形例によれば、受け部１２に代わるものを結合部２０に設けただけであるので、支持部１０に受け部１２を設けた場合と同様に係合が容易に行え、施工性の向上を図ることができる。
【００６３】
別の係合態様として、切断された結合部２０ａを所定の連結部材によって係合する場合について図１１〜図１３により説明する。尚、図１１は、別部材である係合部材１００を連結部材とした例を示し、図１２は、支持部１０の少なくとも一部分を切除して、取り出し、これを連結部材１０２として用いた例を示し、図１３は切除予定のパネルの一部を切除して、これを連結部材１０４として用いた例を示すものであるが、図示された形態のみに限定されるものではない。
【００６４】
図１１において、切断された結合部２０ａ相互を、予め準備しておいた連結部材１００を用いて係合する。この連結部材１００は、断面略コ字状又は略Ｃ字状等に形成された略方形の部材で所定の長さで形成され、水平方向両側から結合部２０ａの端面Ｍ及びＮを圧入等によって差し込んで接続させる。この連結部材１００は、パネル等に比べれば、小さな部材で構成できるため成形品として大量生産が可能であり、比較的コストを抑えて製造できる。この態様によれば、両側からの差込のみで係合可能なため結合部２０ａ相互を簡易に係合でき、作業性の向上を図ることができる。
【００６５】
図１２（ａ）に示すように、例えば連結部材として、支持部１０の少なくとも一部分を切除して連結部材１０２を形成する。この連結部材１０２を、図１２（ｂ）に示すように、切断された結合部２０ａ相互を上下方向に、結合部２０ａに設けた孔又は開口１２０が一致するように重ね、これに連結部材１０２に設けた突起１０４を嵌合して、図１２（ｃ）に示すように結合部２０ａ相互を係合させる。この態様によれば、連結部材１０２は、支持部の一部から切除することにより、予め別部材を準備するという多少のコスト高を回避することができる。
【００６６】
図１３（ａ）及び（ｂ）に示すように、例えば連結部材として、切除予定のパネルの一部分、特に結合部２０の一部分を切除して連結部材１０４を形成する。
ここで切除予定のパネルとは、例えば図６及び図７において説明したパネルサイズの変更時に、単位パネルＰの分割により生じた図６（ａ）及び図７（ａ）に示したハッチング部分のことである。
【００６７】
この連結部材１０４を形成するには、最初に切除予定のパネルの一部分、特に結合部２０から所定の長さ分だけを切り出し、図１３（ｂ）に示すようにその両端部近傍に係合用の穴１０４ａをそれぞれ２カ所設ける。この係合用の穴１０４ａは、予め結合部２０ａに設けられていても良い。このように形成した連結部材１０４を、支持部１０ａ及び支持部１０ｃ近傍で、かつ結合部２０ａ上に設けた係合突起２６に重ね、圧入し、結合部２０ａ相互を係合する。この態様によれば、連結部材１０４を係合突起２６に重ねて圧入するだけで良いので、パネルサイズの変更が容易に行えると共に、切除予定のパネルを再利用することで部材の有効利用が図れる。
【００６８】
尚、本実施の形態では、結合部２０を直線状結合部２０ａと交差状結合部２０ｂとに別けて帯状に形成した例を示したが、例えば全体が方形状のシート体に支持部を多数配列して設け、結合させる構成にしても良い。
【００６９】
図１４（ａ）は、その変形例を示した図であり、上述した図１に対応させて結合部１２０をシート状にした場合の構成を示している。シート状の結合部１２０にも、切断容易となるように、切断ライン１４０が図示のように形成されている。このような構成であっても、上述した場合と同様に係合部３０を含むように形成され、拡大図を図１４（ｂ）に示すように、略凸状係合部位１４２を含んでいる。
【００７０】
図１４に示す例は、結合部がシート状に形成された具体例を示しただけであって、これに限定されるものではなく、結合部に係合部を含んでいれば種々の変形が可能である。
【００７１】
尚、本実施の形態では、上下左右方向に３経路に配線可能である単位床パネルＰを、左右方向に１経路（図６、参照）又は２経路（図７、参照）に変更する場合について説明したが、上下方向に１経路又は２経路に変更することも可能である。このことは、図８〜図１３に係る係合構造及び図１４に係る構成を用いた場合においても同様のことが言える。
【００７２】
【発明の効果】
以上説明したように、本発明に係る二重床用単位パネル構造によれば、支持部に設けられた受け部とこれに係合させる係合部を結合部の切断により現出させるという構成を有することから、特に残余空間に合わせたパネルのサイズ変更が容易に行え、本発明に係る二重床用単位パネルの施工性向上を図ることができる。
【図面の簡単な説明】
【図１】（ａ）本発明によるの二重床用単位パネルの平面図、（ｂ）概略断面図、及び（ｃ）裏面図である。
【図２】（ａ）本発明による二重床用単位パネルを構成する支持部の説明図、及び（ｂ）裏面図である。
【図３】（ａ）本発明による二重床用単位パネルを構成する結合部の説明図、及び（ｂ）係合部の拡大図である。
【図４】（ａ）本発明による二重床用単位パネルの実施形態の説明図、（ｂ）概略断面図及び（ｃ）カバー部材の説明図である。
【図５】（ａ）本発明による二重床用単位パネルをサイズ変更する場合の係合の一態様を示す図、及び（ｂ）裏面から見た場合の説明図である。
【図６】単位床パネル（３ｗａｙ）を、連結パネル（１ｗａｙ）に変更、施工する説明図である。
【図７】単位床パネル（３ｗａｙ）を、連結パネル（２ｗａｙ）に変更、施工する説明図である。
【図８】係合の第２の態様を示す図である。
【図９】係合の第３の態様を示す図である。
【図１０】係合の第４の態様を示す図である。
【図１１】別部材にて係合する場合の第１の態様を示す図である。
【図１２】別部材にて係合する場合の第２の態様を示す図である。
【図１３】別部材にて係合する場合の第３の態様を示す図である。
【図１４】（ａ）結合部をシート状にした場合の本発明による二重床用単位パネル構造の全体構成図、及び（ｂ）係合部の拡大図である。
【図１５】室内床面積の一例を示す図である。
【符号の説明】
１０    支持部
１２    受け部
２０    結合部
２２    切り込み線
３０    係合部
４０    カバー部材
Ｐ      二重床用単位パネル
Ｐ１、Ｐ２    連結パネル
【図１】
0004582968.tif 000002
【図２】
0004582968.tif 000003
【図３】
0004582968.tif 000004
【図４】
0004582968.tif 000005
【図５】
0004582968.tif 000006
【図６】
0004582968.tif 000007
【図７】
0004582968.tif 000008
【図８】
0004582968.tif 000009
【図９】
0004582968.tif 000010
【図１０】
0004582968.tif 000011
【図１１】
0004582968.tif 000012
【図１２】
0004582968.tif 000013
【図１３】
0004582968.tif 000014
【図１４】
0004582968.tif 000015
【図１５】
0004582968.tif 000016